(57)【要約】【課題】構造が簡単で、水槽本体の排水口の開閉とオーバーフロー口の開閉とを一つの操作で容易に行うことのできるオーバーフロー口の開閉構造を提供する。【解決手段】底面に排水口１１が設けられたボウル部１とカウンター部２とからなる洗面ボウルＡにおいて、上記ボウル部１を構成する側壁に上記排水口１１より所定寸法高い位置に設けられたオーバーフロー口１２の開閉をレリーズワイヤ５を介してカウンター部２に設けられた操作部によって行うオーバーフロー口の開閉構造。上記操作部がカウンター部２に設けられたポップアップつまみ４とし、排水口１１の開閉をポップアップ式止水栓３を上下して行い、このポップアップ式止水栓３の上下運動とオーバーフロー口１２の開閉とが連動して行われる。【選択図】図１
2009041278.tif 000002
【特許請求の範囲】
【請求項１】
底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うオーバーフロー口の開閉構造。
【請求項２】
上記操作部がカウンター部に設けられたポップアップつまみであるとともに、排水口の開閉をポップアップ式止水栓を上下して行い、このポップアップ式止水栓の上下運動とオーバーフロー口の開閉とを連動して行う請求項１に記載のオーバーフロー口の開閉構造。
【請求項３】
上記ポップアップつまみが押し下げ状態ではポップアップ式止水栓が開となり、かつオーバーフロー口が閉となるように、レリーズワイヤの上下運動を動力伝達機構を介して伝達してなる請求項１に記載のオーバーフロー口の開閉構造。
【請求項４】
上記ポップアップつまみが引き上げ状態ではポップアップ式止水栓が閉となり、かつオーバーフロー口が開となるように、レリーズワイヤの上下運動を動力伝達機構を介して伝達してなる請求項１に記載のオーバーフロー口の開閉構造。
【請求項５】
上記オーバーフロー口に設けられたスライド式開閉弁が上下して該オーバーフロー口を開閉する請求項１に記載のオーバーフロー口の開閉構造。
【請求項６】
上記オーバーフロー口に設けられ、自動復帰する揺動式開閉弁が揺動して該オーバーフロー口を開閉する請求項１に記載のオーバーフロー口の開閉構造。
【発明の詳細な説明】
【技術分野】
【０００１】
本発明は、水回り商品、とくに洗面化粧台の洗面ボウルのオーバーフロー部の構造に関する。さらに詳しくは、オーバーフロー水が溢流するオーバーフロー口の開閉構造に関する。
【背景技術】
【０００２】
陶器製、プラスチック製等の洗面ボウルは、通常、洗面キャビネットに固定して使用される。上記洗面キャビネットは種々の洗面用、サニタリー用等の小物類の収納場所として利用されるとともに、洗面ボウルの底面に設けられた排水口からの排水や、オーバーフロー用の開口部からオーバーフローする水が合一して流れる排水パイプの配設個所としても利用されている。
【０００３】
上記洗面ボウルは、通常、ボウル部とカウンター部とからなり、ボウル部はその底面に排水口が設けられ、カウンター部には水栓、湯水混合栓等が取り付けられて蛇口から湯水が供給される。また、ボウル部を構成する側壁、とくに、上記蛇口下方の側壁にはボウル部内に湯水を溜める際、蛇口を閉め忘れた時等、湯水がボウル部から溢れ出ることのないように上記排水口より所定寸法高い位置にオーバーフロー用の開口部が設けられている。このオーバーフロー用開口部には、オーバーフローする水が流れ込み、溢流した湯水はオーバーフロー管に流れ、上記排水口からの排水と合一して外部の排水管へ排出される。
【０００４】
下記特許文献１には、低コストでかつ、簡単に上記したオーバーフロー機能を付与することのできるオーバーフロー機構付の水槽が提案されている。すなわち、排水口を有するとともに、該排水口より所定寸法高位置にオーバーフロー孔を、更に該オーバーフロー孔と該排水口とを連通させるオーバーフロー水路とを有するオーバーフロー機構部を備えた水槽において、水槽本体部とは別体をなす前記オーバーフロー機構部を水槽の内面側に組み付けたことを特徴とするオーバーフロー付の水槽が開示されている。
【０００５】
そして、その効果として、水槽本体と別体をなすオーバーフロー機構部を水槽の内面側に組み付けたものあるため、複雑な構造のオーバーフロー機構部を水槽に一体に成形しておく必要はなく、簡単に水槽にオーバーフロー機構を具備させることができると記載されている。
【特許文献１】特開２０００−１５４５６９号公報（第１〜５頁、第１、第２図、第３図）
【発明の開示】
【発明が解決しようとする課題】
【０００６】
しかしながら、上記特許文献１に記載の技術は、その第１、第２図、第３図に示されているように、水槽本体とオーバーフロー機構部との２つの構成要素からなり、それぞれを成形するための鋳型が必要となる。とくに、オーバーフロー機構部は中空に形成されるとともに、オーバーフロー孔やオーバーフロー水路等が設けられるため、成形が困難で、製造コストが高くなるという問題がある。
【０００７】
本発明は、このような問題を解決して、構造が簡単で、水槽本体の排水口の開閉とオーバーフロー口の開閉とを一つの操作で容易に行うことのできるオーバーフロー口の開閉構造を提供することを、その課題とする。
【課題を解決するための手段】
【０００８】
上記課題を解決するために、本発明においては、つぎのような技術的手段を講じている。すなわち、請求項１に記載の発明によれば、底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うオーバーフロー口の開閉構造が提供される。上記洗面ボウルの材質としてはとくに限定されず、陶器製、合成樹脂製、琺瑯製等、種々の材質のものが使用可能である。
【０００９】
請求項２に記載のオーバーフロー口の開閉構造は、請求項１に記載の発明に加えて、上記操作部がカウンター部に設けられたポップアップつまみであるとともに、排水口の開閉をポップアップ式止水栓を上下して行い、このポップアップ式止水栓の上下運動とオーバーフロー口の開閉とが連動して行われる。
【００１０】
請求項３に記載のオーバーフロー口の開閉構造は、請求項１に記載の発明に加えて、上記ポップアップつまみが押し下げ状態ではポップアップ式止水栓が開となり、かつオーバーフロー口が閉となるように、レリーズワイヤの上下運動を動力伝達機構を介して伝達して構成される。
【００１１】
請求項４に記載のオーバーフロー口の開閉構造は、請求項１に記載の発明に加えて、上記ポップアップつまみが引き上げ状態ではポップアップ式止水栓が閉となり、かつオーバーフロー口が開となるように、レリーズワイヤの上下運動を動力伝達機構を介して伝達して構成される。
【００１２】
請求項５に記載のオーバーフロー口の開閉構造は、請求項１に記載の発明に加えて、上記オーバーフロー口に設けられたスライド式開閉弁が上下して該オーバーフロー口の開閉が行われる。
【００１３】
請求項６に記載のオーバーフロー口の開閉構造は、請求項１に記載の発明に加えて、上記オーバーフロー口に設けられ、自動復帰する揺動式開閉弁が揺動して該オーバーフロー口の開閉が行われる。自動復帰は、通常、バネ式等、簡単な構造の自動復帰機構を用いることが好ましい。
【発明の効果】
【００１４】
請求項１に記載の発明にかかるオーバーフロー口の開閉構造は上記のとおりであり、洗面ボウルのボウル部の底面に設けられた排水口と、この排水口より所定寸法高い位置に設けられたオーバーフロー口の開閉とをレリーズワイヤを介してカウンター部に設けられた操作部によって行うため、排水口の開閉とオーバーフロー口の開閉とをカウンター上の操作部で簡単に行うことができる。
【００１５】
請求項２に記載のオーバーフロー口の開閉構造は上記のとおりであり、請求項１のオーバーフロー口の開閉構造の有する効果に加え、上記操作部をカウンター部に設けたポップアップつまみとすることにより、このポップアップつまみの上下運動をポップアップ式止水栓の押し上げ、引き下げに力の方向を変えて排水口の開閉を行い、さらにこのポップアップつまみの上下運動をオーバーフロー口の開閉運動に変換して上記排水口の開閉とオーバーフロー口の開閉とをカウンター上のポップアップつまみで同時に行うことができる。
【００１６】
請求項３に記載のオーバーフロー口の開閉構造は上記のとおりであり、請求項１のオーバーフロー口の開閉構造の有する効果に加え、上記ポップアップつまみが押し下げ状態ではポップアップ式止水栓が開となりかつオーバーフロー口が閉となるように、レリーズワイヤの上下運動が動力伝達機構を介して伝達されるため、排水口から使用後の湯水を排水することができるとともに、急な排水により、オーバーフロー口からの排水の逆流出やエアー引き込み音の発生を防止することができる。また、外部に接続された排水管からの臭気の侵入も防止できる。
【００１７】
請求項４に記載のオーバーフロー口の開閉構造は上記のとおりであり、請求項１のオーバーフロー口の開閉構造の有する効果に加え、上記ポップアップつまみが引き上げ状態ではポップアップ式止水栓が閉となりかつオーバーフロー口が開となるように、レリーズワイヤの上下運動が動力伝達機構を介して伝達されるため、排水口は閉となり湯水を溜めることができるとともに、蛇口の閉め忘れ等によりオーバーフローした湯水はオーバーフロー口から外部の排水管に排出することができる。
【００１８】
請求項５に記載のオーバーフロー口の開閉構造は上記のとおりであり、請求項１のオーバーフロー口の開閉構造の有する効果に加え、上記オーバーフロー口にスライド式開閉弁を設けることにより、ポップアップつまみの押し上げ、引き下げ運動をスムースにスライド式開閉弁の弁開閉運動に変換し、オーバーフロー口を開閉することができる。
【００１９】
請求項６に記載のオーバーフロー口の開閉構造は上記のとおりであり、請求項１のオーバーフロー口の開閉構造の有する効果に加え、上記オーバーフロー口に自動復帰機構を備えた揺動式開閉弁を設けることにより、ポップアップつまみの押し上げ、引き下げ運動をスムースに揺動式開閉弁の弁揺動運動に変換し、オーバーフロー口を開閉することができる。
【発明を実施するための最良の形態】
【００２０】
以下、本発明の実施形態について図面を参照して詳細に説明する。図１、図２は、本発明にかかるオーバーフロー口の開閉構造の第１実施形態を示す説明図である。図１に示すように、洗面ボウルＡはボウル部１とカウンター部２とからなり、ボウル部１の底面には排水口１１が設けられ、この排水口１１より所定寸法高い位置にはオーバーフロー口１２が穿たれている。上記排水口１１には排水孔１１１が設けられるとともに、ポップアップ式止水栓３を有し、上記カウンター部２には、このポップアップ式止水栓３の開閉操作を行うポップアップつまみ４が設けられている。
【００２１】
上記ポップアップつまみ４は、レリーズワイヤ５と動力伝達レバー６とからなる動力伝達機構Ｂを操作する操作部として機能し、動力伝達機構Ｂからの力はロッド３１を介してポップアップ式止水栓３を上下させ、上記排水口１１を開閉する。すなわち、図１に矢印で示すように、ポップアップつまみ４を押し下げると、ポップアップ式止水栓３を押し上げて排水口１１を開とし、オーバーフロー口１２を閉とする。
【００２２】
図１に示す状態では、ポップアップつまみ４の押し下げにより、上部レリーズワイヤ５１は下方に直線移動するとともに、その力は上部動力伝達レバー６１を時計方向に回転させ、下部レリーズワイヤ５２を前進させる。この下部レリーズワイヤ５２の前進により下部動力伝達レバー６２は時計方向に回転してロッド３１を押し上げ、ポップアップ式止水栓３は上昇して排水口１１が開き、ボウル部１内の湯水は排水孔１１１から排水される。
【００２３】
一方、上記上部レリーズワイヤ５１には、連結部７１を介して上下に直線移動するスライド式開閉弁７が接続され、図１に示す状態では、ポップアップ式止水栓３が上昇して排水口１１が開くとともに、上記上部レリーズワイヤ５１の下方への移動と連動して連結部７１が下方へ移動し、オーバーフロー口１２を閉とする。このとき、連結部７１を含むスライド式開閉弁７全体は公知の水封機構９１によってシールされている。
【００２４】
図２は、図１とは逆に、ポップアップつまみ４を引き上げたときの動作を示す説明図である。このとき、図２に示すように、ポップアップ式止水栓３は引き下げられて排水口１１は閉となり、上部レリーズワイヤ５１の上方への移動と連動する連結部７１は上方へ移動してスライド式開閉弁７は開き、オーバーフロー口１２は開口する。図２に示す状態では、排水孔１１１がポップアップ式止水栓３で塞がれているため、湯水を溜めることができるとともに、蛇口の閉め忘れ等によりオーバーフローした湯水はオーバーフロー口１２から図外排水管に排出される。
【００２５】
図３、図４は、本発明にかかるオーバーフロー口の開閉構造の第２実施形態を示す説明図である。第２実施形態は、基本的には第１実施形態と同じ構成であり、ボウル部１の底面の排水口１１はポップアップ式止水栓３を有し、この止水栓より所定寸法高い側壁にはオーバーフロー口１２が穿たれている。
【００２６】
図３に示す状態では、ポップアップつまみ４の押し下げにより、図１を用いて説明した場合と同様に、レリーズワイヤ５と動力伝達レバー６とからなる動力伝達機構Ｂの動作により、ポップアップ式止水栓３が上昇して排水口１１が開き、ボウル部１内の湯水は排水孔１１１から排水される。
【００２７】
このとき、第２実施形態においては、オーバーフロー口１２の開閉は揺動式開閉弁８により行われる。すなわち、図３に示すように、上記揺動式開閉弁８は、通常、バネ体８３によりオーバーフロー口１２を閉止するように圧接され、排水口１１からの急な排水により、オーバーフロー口１２からの排水の逆流や、エアー引き込み音の発生を防止し、また、図外排水パイプからの臭気の逆流を防ぐこともできる。
【００２８】
図４は、図３に示す状態からポップアップつまみ４を引き上げた動作を示す説明図である。図４に矢印で示すように、ポップアップ式止水栓３は引下げられて排水孔１１１は塞がれ、排水口１１は閉となる。一方、上記上部レリーズワイヤ５１の上方への移動と連動する連結部８１は上方へ移動し、連結部８１と揺動式開閉弁８とを屈曲自在に接続する自在接手８２はバネ体８３の復帰力に打ち勝って揺動式開閉弁８を回動させ、オーバーフロー口１２を開とする。このとき、連結部８１を含む揺動式開閉弁８全体は公知の水封機構９２によってシールされている。
【００２９】
このようにして排水孔１１１は塞がれ湯水を溜めることができるとともに、溜められた湯水を排水するときは、再び、ポップアップつまみ４を押し下げる。このポップアップつまみ４の押し下げによりポップアップ式止水栓３は押し上げられ、排水するとともに、上記揺動式開閉弁８は、バネ体８３によりオーバーフロー口１２を塞ぐように自動復帰する。図５は上記のように構成された第２実施形態にかかるオーバーフロー口の開閉構造を示す外観斜視図である。
【００３０】
上記第１、第２実施形態は、洗面ボウルを例として説明したが、本発明は、キッチンの流し、その他の流しに対して、また浴槽等の水槽に対しても適用可能である。このように、本発明は設計変更自在であり、特許請求の範囲を逸脱しない限り、本発明の技術的範囲に属する。
【図面の簡単な説明】
【００３１】
【図１】本発明にかかるオーバーフロー口の開閉構造の第１実施形態を示す説明図である。
【図２】本発明にかかるオーバーフロー口の開閉構造の第１実施形態を示す説明図である。
【図３】本発明にかかるオーバーフロー口の開閉構造の第２実施形態を示す説明図である。
【図４】本発明にかかるオーバーフロー口の開閉構造の第２実施形態を示す説明図である。
【図５】第１、２実施形態にかかるオーバーフロー口の開閉構造を示す外観斜視図である。
【符号の説明】
【００３２】
Ａ          洗面ボウル
Ｂ          動力伝達機構
１          ボウル部
１１        排水口
１１１      排水孔
１２        オーバーフロー口
２          カウンター部
３          ポップアップ式止水栓
３１        ロッド
４          ポップアップつまみ
５          レリーズワイヤ
５１        上部レリーズワイヤ
５２        下部レリーズワイヤ
６          動力伝達レバー
６１        上部動力伝達レバー
６２        下部動力伝達レバー
７          第１実施形態におけるスライド式開閉弁
７１        第１実施形態における連結部
８          第２実施形態における揺動式開閉弁
８１        第２実施形態における連結部
８２        第２実施形態における自在接手
８３        第２実施形態におけるバネ体
９１        第１実施形態における水封機構
９２        第２実施形態における水封機構
【図１】
2009041278.tif 000003
【図２】
2009041278.tif 000004
【図３】
2009041278.tif 000005
【図４】
2009041278.tif 000006
【図５】
2009041278.tif 000007